(57)【要約】【課題】操作者の操作労力を低減しつつ円滑かつ確実に印字ラベルを作成する。【解決手段】印字ラベル作成システムＬＳは、無線タグＴに対して情報読み取りを行うためのリーダ２００と、その読み取り内容に対応した印字ラベルＬの作成を行うラベル作成装置３００とを有する。リーダ２００は、アンテナ２０３を介し、無線タグ回路素子ＴｏのＩＣ回路部１５０に記憶された、印字ラベルＬ用の印字データを取得し、その取得した印字データを、ラベル作成装置３００へ転送する。ラベル作成装置３００は、ラベルテープ３０３を搬送するための搬送ローラ３０８と、リーダ２００から転送された印字データを入力し、搬送されるラベルテープ３０３か、若しくは、これに貼り合わされる被印字媒体に対し、その入力した印字データに対応した印字を行う印字ヘッド３０５とを備える。【選択図】図４
2010064357.tif 000002
【特許請求の範囲】
【請求項１】
情報を記憶するＩＣ回路部と情報の送受信を行うタグアンテナとが設けられた無線タグ回路素子を備えた無線タグに対して情報読み取りを行うための読み取り装置と、前記読み取り装置による読み取り内容に対応した印字ラベルの作成を行うラベル作成装置とを有する印字ラベル作成システムであって、
前記読み取り装置は、
前記無線タグ回路素子と無線通信を介し情報送受信を行うための装置アンテナと、
前記装置アンテナを介し、前記無線タグ回路素子の前記ＩＣ回路部に記憶された、前記印字ラベル用の印字データを取得する情報取得手段と、
前記情報取得手段で取得した前記印字データを、前記ラベル作成装置へ転送する印字データ転送手段と、
を備え、
前記ラベル作成装置は、
前記読み取り装置の前記データ転送手段から転送された前記印字データを入力する印字データ入力手段と、
ラベル媒体を搬送するための搬送手段と、
前記搬送手段で搬送される前記ラベル媒体か、若しくは、前記ラベル媒体に貼り合わされる被印字媒体に対し、前記印字データ入力手段で入力した前記印字データに対応した印字を行う印字手段と、
を備える
ことを特徴とする印字ラベル作成システム。
【請求項２】
請求項１記載の印字ラベル作成システムにおいて、
前記読み取り装置の前記情報取得手段は、
前記装置アンテナを介し、文字コードと制御コードからなる第１印字データを取得し、
前記ラベル作成装置の前記印字データ入力手段は、
前記データ転送手段から転送された前記第１印字データを入力し、
前記ラベル作成装置の前記印字手段は、
前記印字データ入力手段で入力した前記第１印字データに対応した印字を行う
ことを特徴とする印字ラベル作成システム。
【請求項３】
請求項２記載の印字ラベル作成システムにおいて、
前記ラベル作成装置は、
前記印字データ入力手段で入力した前記第１印字データを、対応する印字駆動データに変換するデータ変換手段と、
前記データ変換手段で変換された前記印字駆動データを、所定の記憶領域に展開して記憶する第１バッファメモリと
を備え、
前記印字手段は、
前記第１バッファメモリから順次出力される前記印字駆動データにより前記印字を行う
ことを特徴とする印字ラベル作成システム。
【請求項４】
請求項１記載の印字ラベル作成システムにおいて、
前記読み取り装置の前記情報取得手段は、
前記装置アンテナを介し、ビットマップデータと制御コードからなる第２印字データを取得し、
前記ラベル作成装置の前記印字データ入力手段は、
前記データ転送手段から転送された、前記第２印字データを入力し、
前記ラベル作成装置の前記印字手段は、
前記印字データ入力手段で入力した前記第２印字データに対応した印字を行う
ことを特徴とする印字ラベル作成システム。
【請求項５】
請求項４記載の印字ラベル作成システムにおいて、
前記ラベル作成装置は、
前記印字データ入力手段で入力した前記第２印字データを、所定の記憶領域に展開して記憶する第２バッファメモリを備え、
前記印字手段は、
前記第２バッファメモリから順次出力される前記第２印字データにより前記印字を行う
ことを特徴とする印字ラベル作成システム。
【請求項６】
請求項１乃至請求項５のいずれか１項記載の印字ラベル作成システムにおいて、
前記無線タグは、
前記無線タグ回路素子を配置するための基材層と、前記基材層を貼り付け対象に貼り付けるための粘着剤層とを備えた、前記無線タグとしての前記無線タグラベルであり、
前記読み取り装置の前記装置アンテナは、
前記無線タグラベルに備えられた前記無線タグ回路素子に対して、情報送受信を行う
ことを特徴とする印字ラベル作成システム。
【請求項７】
請求項１乃至請求項６のいずれか１項記載の印字ラベル作成システムにおいて、
前記ラベル作成装置は、
前記印字データ入力手段で前記データ転送手段から転送された前記印字データが入力された場合は、前記搬送手段及び前記印字手段を連携して制御して前記印字ラベルを作成する制御手段を有する
ことを特徴とする印字ラベル作成システム。
【請求項８】
無線タグに設けられた、情報を記憶するＩＣ回路部と情報の送受信を行うタグアンテナとを備えた無線タグ回路素子と無線通信を介し情報送受信を行うための装置アンテナと、
前記装置アンテナを介し、前記無線タグ回路素子の前記ＩＣ回路部に記憶された、前記印字ラベル用の印字データを取得する情報取得手段と、
前記情報取得手段で取得した前記印字データを、当該印字データに対応する印字を備えた印字ラベルを作成するラベル作成装置へと転送する印字データ転送手段と
を有することを特徴とする読み取り装置。
【請求項９】
情報を記憶するＩＣ回路部と情報の送受信を行うタグアンテナとが設けられた無線タグ回路素子から無線通信を介して読み取り装置で取得され、前記読み取り装置から転送された印字ラベル用の印字データを入力する印字データ入力手段と、
ラベル媒体を搬送するための搬送手段と、
前記搬送手段で搬送される前記ラベル媒体か、若しくは、前記ラベル媒体に貼り合わされる被印字媒体に対し、前記印字データ入力手段で入力した前記印字データに対応した印字を行う印字手段と
を備える
ことを特徴とするラベル作成装置。
【請求項１０】
請求項９記載のラベル作成装置において、
前記印字データ入力手段は、前記データ転送手段から転送された、文字コードと制御コードからなる第１印字データを入力し、
前記印字データ入力手段で入力した前記第１印字データを、対応する印字駆動データに変換するデータ変換手段と、
前記データ変換手段で変換された前記印字駆動データを、所定の記憶領域に展開して記憶する第１バッファメモリとを設け、
前記印字手段は、
前記第１バッファメモリから順次出力される前記印字駆動データにより前記印字を行う
ことを特徴とするラベル作成装置。
【発明の詳細な説明】
【技術分野】
【０００１】
本発明は、ラベル媒体又は被印字媒体に対し印字を行うことにより印字ラベルを作成する印字ラベル作成システム、及びこれに用いる読み取り装置、並びにラベル作成装置に関する。
【背景技術】
【０００２】
従来、テープをロール状にカートリッジ内に収納し、ロールよりテープを繰り出しつつ所望の文字を印刷してラベルを作成するラベル作成システムが既に提唱されている（例えば、特許文献１参照）。
【０００３】
この従来技術においては、剥離紙を備えた基材テープを巻回したロールと、この基材テープに貼り合わされる被印字媒体（カバーフィルム）を巻回したロールとを備えている。これら２つのロールから上記基材テープ及び上記被印字媒体をそれぞれ繰り出しつつ被印字媒体に所定の印字を行い、印字後の被印字媒体と上記基材テープとを貼り合わせて印字済みラベル用テープとする。そして、この印字済みラベル用テープを切断手段で所定長さに切断して印字ラベル（無線タグラベル）を作成する。一方、基材テープに設けられた無線タグ回路素子に対し、アンテナを介してタグＩＤを含む所定の情報が書き込まれる。そして、この書き込まれたタグＩＤとそれに紐付けられる物品情報等との対応付けは、情報サーバに記憶される。
【０００４】
このとき、上記ラベル作成装置には、有線を用いたネットワーク（通信回線）を介し操作端末が接続されている。操作者は、この操作端末を用い、ラベル作成装置に対する印刷指示を行う。その操作者による印刷指示に対応した信号は、ネットワークを介してラベル作成装置に読み込まれ、この読み込まれた信号に基づき、上記印刷指示に沿った印字が行われる。また、上記ネットワークには、作成された無線タグラベルに備えられた上記無線タグ回路素子に対し情報読み取りを行う読み取り装置（リーダ）が接続されている。この読み取り装置は、情報読み取りにより取得したタグＩＤをキーとして上記情報サーバへアクセスし、対応する（紐付けられた）物品情報等を取得できるようになっている。
【特許文献１】特開２００６−２０９２６４号公報（図１、図２）
【発明の開示】
【発明が解決しようとする課題】
【０００５】
上記従来技術においては、ラベル作成の際、ラベル作成装置に対し装置外の操作端末よりネットワークを介して印刷指示を行う必要がある。この場合、印刷指示の内容によっては、操作端末での（キーやボタンやスイッチを用いた）操作が煩雑となり、操作者の操作労力が増大するおそれがある。ここで、上述したように上記ネットワークには読み取り装置が接続されていることから、操作端末に代わる別の手段として、この読み取り装置での無線タグの情報読み取りにより上記と同等の動作指示を行えるようにすることも考えられる。しかしながらこの場合、ネットワークが存在しない場合やネットワーク接続ができない場合等においては、円滑な印字ラベルの作成が困難となるおそれがあった。
【０００６】
本発明の目的は、操作者の操作労力を低減しつつ円滑かつ確実に印字ラベルを作成できる印字ラベル作成システム、及びこれに用いる読み取り装置、並びにラベル作成装置を提供することにある。
【課題を解決するための手段】
【０００７】
上記目的を達成するために、第１発明は、情報を記憶するＩＣ回路部と情報の送受信を行うタグアンテナとが設けられた無線タグ回路素子を備えた無線タグに対して情報読み取りを行うための読み取り装置と、前記読み取り装置による読み取り内容に対応した印字ラベルの作成を行うラベル作成装置とを有する印字ラベル作成システムであって、前記読み取り装置は、前記無線タグ回路素子と無線通信を介し情報送受信を行うための装置アンテナと、前記装置アンテナを介し、前記無線タグ回路素子の前記ＩＣ回路部に記憶された、前記印字ラベル用の印字データを取得する情報取得手段と、前記情報取得手段で取得した前記印字データを、前記ラベル作成装置へ転送する印字データ転送手段と、を備え、前記ラベル作成装置は、前記読み取り装置の前記データ転送手段から転送された前記印字データを入力する印字データ入力手段と、ラベル媒体を搬送するための搬送手段と、前記搬送手段で搬送される前記ラベル媒体か、若しくは、前記ラベル媒体に貼り合わされる被印字媒体に対し、前記印字データ入力手段で入力した前記印字データに対応した印字を行う印字手段と、を備えることを特徴とする。
【０００８】
本願第１発明においては、無線タグに備えられた無線タグ回路素子のＩＣ回路部に、印字ラベル用の印字データが記憶されている。操作者が読み取り装置を用いて無線タグ回路素子に対して読み取りを行うと、装置アンテナを介した無線通信により、ＩＣ回路部に記憶された印字データが情報取得手段で取得され、さらにその印字データが印字データ転送手段によってラベル作成装置へと直接転送される。ラベル作成装置では、その転送された印字データを印字データ入力手段で入力する。そして、搬送手段で搬送されるラベル媒体（又は被印字媒体）に対し、印字手段が、その入力した印字データに対応した印字を行い、これによって印字ラベルが作成される。
【０００９】
これにより、操作者が読み取り装置を用いて無線タグ回路素子から情報読み取りを行うだけで、対応する印字を備えた印字ラベルが自動的に作成される。このとき、無線タグ回路素子に印字データを記憶させ、読み取り装置で読み取った印字データをラベル作成装置へと直接転送させることにより、（読み取り装置やラベル作成装置に）パソコンやサーバ等を接続することなく、印字ラベルを作成することができる。したがって、操作者の操作労力を低減しつつ円滑かつ確実に印字ラベルを作成できる。
【００１０】
第２発明は、上記第１発明において、前記読み取り装置の前記情報取得手段は、前記装置アンテナを介し、文字コードと制御コードからなる第１印字データを取得し、前記ラベル作成装置の前記印字データ入力手段は、前記データ転送手段から転送された前記第１印字データを入力し、前記ラベル作成装置の前記印字手段は、前記印字データ入力手段で入力した前記第１印字データに対応した印字を行うことを特徴とする。
【００１１】
読み取り装置側からラベル作成装置側へ文字コードと制御コードからなる第１印字データを転送することとなるので、無線タグ回路素子にはその比較的バイト数の少ない印字データを記憶すれば足りる。この結果、無線タグ回路素子の記憶可能容量を小さくすることができ、またデータ転送手段による転送に要する時間を短くすることもできる。
【００１２】
第３発明は、上記第２発明において、前記ラベル作成装置は、前記印字データ入力手段で入力した前記第１印字データを、対応する印字駆動データに変換するデータ変換手段と、前記データ変換手段で変換された前記印字駆動データを、所定の記憶領域に展開して記憶する第１バッファメモリとを備え、前記印字手段は、前記第１バッファメモリから順次出力される前記印字駆動データにより前記印字を行うことを特徴とする。
【００１３】
本願第３発明においては、読み取り装置から転送されてきた第１印字データをラベル作成装置のデータ変換手段が変換し、印字手段を駆動するための印字駆動データを生成する。このようにしてラベル作成装置側でデータ変換を行うことにより、読み取り装置からラベル作成装置への転送時のデータバイト数を確実に少なくすることができる。そして、生成した印字駆動データを第１バッファメモリから順次印字手段へ出力することで、上記第１印字データに対応した印字を確実にラベル媒体（又は被印字媒体）に形成することができる。
【００１４】
第４発明は、上記第１発明において、前記読み取り装置の前記情報取得手段は、前記装置アンテナを介し、ビットマップデータと制御コードからなる第２印字データを取得し、前記ラベル作成装置の前記印字データ入力手段は、前記データ転送手段から転送された、前記第２印字データを入力し、前記ラベル作成装置の前記印字手段は、前記印字データ入力手段で入力した前記第２印字データに対応した印字を行うことを特徴とする。
【００１５】
読み取り装置側からラベル作成装置側へビットマップデータと制御コードからなる第２印字データを転送する。これにより、パソコンやデジタルカメラ等の各種用途において広く汎用されているビットマップデータを、そのまま印字データとして無線タグ回路素子に記憶させて用いることができる。この結果、無線タグ回路素子の記憶させる際に予め特定のデータ形式に変換する必要がなく、利便性を向上することができる。
【００１６】
第５発明は、上記第４発明において、前記ラベル作成装置は、前記印字データ入力手段で入力した前記第２印字データを、所定の記憶領域に展開して記憶する第２バッファメモリを備え、前記印字手段は、前記第２バッファメモリから順次出力される前記第２印字データにより前記印字を行うことを特徴とする。
【００１７】
本願第５発明においては、読み取り装置から転送されてきた、汎用のビットマップデータと制御コードからなる第２印字データのうちビットマップデータをそのまま第２バッファメモリに格納して用いる。これにより、ラベル作成装置に、特定のデータ形式からのデータ変換手段を設ける必要がなくなる。そして、格納したビットマップデータを第２バッファメモリから順次印字手段へ出力することで、第２印字データに対応した印字を確実にラベル媒体（又は被印字媒体）に形成することができる。
【００１８】
第６発明は、上記第１乃至第５発明のいずれかにおいて、前記無線タグは、前記無線タグ回路素子を配置するための基材層と、前記基材層を貼り付け対象に貼り付けるための粘着剤層とを備えた、前記無線タグとしての前記無線タグラベルであり、前記読み取り装置の前記装置アンテナは、前記無線タグラベルに備えられた前記無線タグ回路素子に対して、情報送受信を行うことを特徴とする。
【００１９】
本願第６発明では、読み取り装置を用いて情報読み取りを行う無線タグとして、無線タグラベルを用いる。また、無線タグ回路素子を無線タグラベルが備えていることにより、貼り付け対象にラベルを貼り付けることで、種々の物品に対して無線タグ回路素子を取り付けることができる。この結果、様々な物品を用いて読み取り装置で無線タグ回路素子からの情報読み取りを行わせ、印字ラベルを作成することができるので、利便性を向上することができる。
【００２０】
第７発明は、上記第１乃至第６発明のいずれかにおいて、前記ラベル作成装置は、前記印字データ入力手段で前記データ転送手段から転送された前記印字データが入力された場合は、前記搬送手段及び前記印字手段を連携して制御して前記印字ラベルを作成する制御手段を有することを特徴とする。
【００２１】
これにより、操作者が読み取り装置を用いて無線タグ回路素子から情報読み取りを行ったとき、自動的に迅速に印字ラベルを作成することができる。
【００２２】
上記目的を達成するために、第８発明は、無線タグに設けられた、情報を記憶するＩＣ回路部と情報の送受信を行うタグアンテナとを備えた無線タグ回路素子と無線通信を介し情報送受信を行うための装置アンテナと、前記装置アンテナを介し、前記無線タグ回路素子の前記ＩＣ回路部に記憶された、前記印字ラベル用の印字データを取得する情報取得手段と、前記情報取得手段で取得した前記印字データを、当該印字データに対応する印字を備えた印字ラベルを作成するラベル作成装置へと転送する印字データ転送手段とを有することを特徴とする。
【００２３】
本願第８発明においては、無線タグに備えられた無線タグ回路素子のＩＣ回路部に、印字ラベル用の印字データが記憶されている。操作者が無線タグ回路素子に対して読み取りを行うと、装置アンテナを介した無線通信により、ＩＣ回路部に記憶された印字データが情報取得手段で取得され、さらにその印字データが印字データ転送手段によってラベル作成装置へと直接転送される。これにより、ラベル作成装置では、その転送された印字データに対応した印字が行われた印字ラベルを作成する。
【００２４】
この結果、操作者が読み取り装置を用いて無線タグ回路素子から情報読み取りを行うだけで、対応する印字を備えた印字ラベルを自動的に作成することができる。このとき、無線タグ回路素子に印字データを記憶させ、読み取り装置で読み取った印字データをラベル作成装置へと直接転送させることにより、（読み取り装置に）パソコンやサーバ等を接続することなく、印字ラベルを作成することができる。したがって、操作者の操作労力を低減しつつ円滑かつ確実に印字ラベルを作成できる。
【００２５】
上記目的を達成するために、第９発明は、情報を記憶するＩＣ回路部と情報の送受信を行うタグアンテナとが設けられた無線タグ回路素子から無線通信を介して読み取り装置で取得され、前記読み取り装置から転送された印字ラベル用の印字データを入力する印字データ入力手段と、ラベル媒体を搬送するための搬送手段と、前記搬送手段で搬送される前記ラベル媒体か、若しくは、前記ラベル媒体に貼り合わされる被印字媒体に対し、前記印字データ入力手段で入力した前記印字データに対応した印字を行う印字手段とを備えることを特徴とする。
【００２６】
本願第９発明においては、無線タグに備えられた無線タグ回路素子のＩＣ回路部に、印字ラベル用の印字データが記憶されている。例えば操作者が読み取り装置を用いて無線タグ回路素子に対して読み取りを行うことで、無線通信によりＩＣ回路部に記憶された印字データが読み取り装置で取得され、さらにその印字データがラベル作成装置へと直接転送される。ラベル作成装置では、その転送された印字データを印字データ入力手段で入力する。そして、搬送手段で搬送されるラベル媒体（又は被印字媒体）に対し、印字手段が、その入力した印字データに対応した印字を行い、これによって印字ラベルが作成される。
【００２７】
これにより、操作者が読み取り装置を用いて無線タグ回路素子から情報読み取りを行うだけで、対応する印字を備えた印字ラベルが自動的に作成される。このとき、無線タグ回路素子に印字データを記憶させ、読み取り装置で読み取った印字データをラベル作成装置へと直接転送させることにより、（ラベル作成装置に）パソコンやサーバ等を接続することなく、印字ラベルを作成することができる。したがって、操作者の操作労力を低減しつつ円滑かつ確実に印字ラベルを作成できる。
【００２８】
第１０発明は、上記第９発明において、前記印字データ入力手段は、前記データ転送手段から転送された、文字コードと制御コードからなる第１印字データを入力し、前記印字データ入力手段で入力した前記第１印字データを、対応する印字駆動データに変換するデータ変換手段と、前記データ変換手段で変換された前記印字駆動データを、所定の記憶領域に展開して記憶する第１バッファメモリとを設け、前記印字手段は、前記第１バッファメモリから順次出力される前記印字駆動データにより前記印字を行うことを特徴とする。
【００２９】
読み取り装置から転送されてきた第１印字データをデータ変換手段が変換し、印字手段を駆動するための印字駆動データを生成する。このようにしてラベル作成装置側でデータ変換を行うことにより、読み取り装置からラベル作成装置への転送時のデータバイト数を確実に少なくし、データ転送に要する時間を短くすることができる。また無線タグ回路素子は比較的バイト数の少ない印字データを記憶すれば足りるので、無線タグ回路素子の記憶可能容量を小さくすることができる。
【発明の効果】
【００３０】
本発明によれば、操作者の操作労力を低減しつつ円滑かつ確実に印字ラベルを作成することができる。
【発明を実施するための最良の形態】
【００３１】
以下、本発明の一実施の形態を図面を参照しつつ説明する。
【００３２】
図１は、本実施形態の印字ラベル作成システムＬＳの全体構成を表すシステム構成図である。本実施形態は、本発明を、物品（例えば書類、ファイル、図書、文具、ＯＡ機器等の可搬品）を持ち出す者の社員ＩＤを印字した印字ラベルの作成に適用した場合の実施形態である。
【００３３】
図１において、印字ラベル作成システムＬＳは、搬送されるラベルテープ３０３（ラベル媒体。後述の図４参照）に対し所望の印字を行い、印字ラベルＬを作成するラベル作成装置３００と、無線タグＴに設けられ、情報を記憶するＩＣ回路部１５０と情報の送受信を行うタグアンテナ１５１とを備えた無線タグ回路素子Ｔｏ（詳細は後述の図６参照）に対し、アンテナ２０３（装置アンテナ）を介して情報読み取りが可能な（さらに情報書き込みを可能としてもよい）リーダ２００（読み取り装置）とを有している。これらラベル作成装置３００及びリーダ２００は、上記物品の所定の配置場所近傍に設置されている。そして、物品を持ち出す持ち出し者が、自己が持ち出したことを示す印字ラベルＬ（後述の図１０参照）を作成し、当該配置場所近傍の所定部位に貼り付ける（配置場所の棚、柱等に直接貼るか、配置場所近傍に置かれた貼り付け用ノートに貼り付ける、等）ことによって持ち出し記録を行う。
【００３４】
上記ラベル作成装置３００とリーダ２００は、接続手段２（例えばＵＳＢケーブル等。無線でもよい）を介して情報送受信可能に接続されており、リーダ２００のアンテナ２０３を介して読み取られた情報（タグＩＤ等）は、ラベル作成装置３００に接続手段２を介して送信されるようになっている。
【００３５】
無線タグＴとしては、例えば、上記印字ラベルＬと同様のラベル形状である、無線タグラベルＴｈを用いることもできる。図２（ａ）及び図２（ｂ）は、無線タグ回路素子Ｔｏを備えたその無線タグラベルＴｈの外観の一例を表す上面図及び下面図であり、図３は、図２中III−III′断面による横断面図である。
【００３６】
これら図２（ａ）、図２（ｂ）、及び図３において、無線タグラベルＴｈは、無線タグ回路素子Ｔｏを内包する５層構造となっている。すなわち、上面（図３中上側）より下面側（図３中下側）へ向かって、例えばＰＥＴ（ポリエチレンテレフタラート）等から構成されたカバーフィルム１０３と、適宜の粘着材からなる粘着剤層１０１ｈａと、上記同様ＰＥＴ（ポリエチレンテレフタラート）等から構成された、無線タグ回路素子Ｔｏを配置するための基材層１０１ｈｂと、適宜の粘着材から構成され、基材層１０１ｈｂを貼り付け対象（例えば社員ＩＤカード）に貼り付けるための粘着剤層１０１ｈｃと、剥離紙１０１ｈｄとで５層が構成されている。
【００３７】
ベースフィルム１０１ｈｂの裏側（図３中下側）には、情報の送受信を行うアンテナ１５１ｈが一体的に設けられており、これに接続するように情報を記憶するＩＣ回路部１５０が形成され、これによって無線タグ回路素子Ｔｏｈが構成されている。カバーフィルム１０３の裏面には、印字Ｒ（この例では「ＲＦ−ＩＤ」の文字）が印刷されている。剥離紙１０１ｈｄは、最終的にラベル状に完成した無線タグラベルＴｈが所定の物品等に貼り付けられる際に、これを剥がすことで粘着剤層１０１ｈｃにより当該物品（例えば社員ＩＤカード）等に接着できるようにしたものである。このように、情報読み取りを行う無線タグＴとして無線タグラベルＴｈを用いる場合、様々な物品を用いて読み取り装置２００で無線タグ回路素子Ｔｏからの情報読み取りを行わせ、印字ラベルＬを作成することができるので、利便性を向上できる効果がある。
【００３８】
図４は、印字ラベル作成システムＬＳの機能構成を表す機能ブロック図である。
【００３９】
図４において、リーダ２００は、上記無線タグＴが有する無線タグ回路素子Ｔｏに対し無線通信を介し情報送受信を行うための上記アンテナ２０３と、このアンテナ２０３を介して無線タグ回路素子Ｔｏに対し情報読み取りを行い、無線タグ回路素子ＴｏのＩＣ回路部１５０に記憶された情報を取得する（アンテナ２０３を介して無線タグ回路素子ＴｏのＩＣ回路部１５０に情報書き込みも行えるようにしてもよい）高周波回路２０４と、ラベル作成装置３００との間で上記接続手段２を介し情報通信（シリアル通信等）を行うためのインターフェース２０５とを有している。
【００４０】
またラベル作成装置３００は、ラベルテープ３０３（ラベル媒体。なお、ラベルテープ３０３に上記カバーフィルムのような被印字媒体を貼り合わせたものでもよい）を、巻回したラベルテープロール３０４（本来は渦巻であるが簡略化して同心円で図示している）と、このラベルテープロール３０４から繰り出されたラベルテープ３０３の対応する印字領域Ｓ（後述の図１０参照）に所定の印字を行う印字ヘッド３０５（印字手段）と、ラベルテープ３０３を搬送するための搬送ローラ３０８（搬送手段）と、印字が終了したラベルテープ３０３を所定の長さに切断して前述の印字ラベルＬとするカッタ３０７と、上記リーダ２００と接続手段２を介し情報通信を行うためのインターフェース３０９と、以上の印字ヘッド３０５、カッタ３０７、搬送ローラ３０８等の制御を行う制御回路３１１とを有している。
【００４１】
なお、上記ではリーダ２００が高周波回路２０４を有する構成としたが、これに限られず、高周波回路２０４についてはラベル作成装置３００に設け、アンテナ２０３に対応する部分のみをリーダ２００として設ける構成でもよい。
【００４２】
図５は、上記リーダ２００の高周波回路２０４の詳細構成を表す機能ブロック図である。なお、この図５では、リーダ２００の高周波回路２０４とラベル作成装置３００の制御回路３１１との間のインターフェース２０５，３０９及び接続手段２については図示省略している。
【００４３】
この図５において、高周波回路２０４は、上記アンテナ２０３を介し無線タグＴの無線タグ回路素子ＴｏのＩＣ回路部１５０の情報へアクセスするものであり、またラベル作成装置３００の制御回路３１１は無線タグＴの無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４４】
高周波回路２０４は、アンテナ２０３を介し無線タグＴの無線タグ回路素子Ｔｏに対して信号を送信する送信部１４２と、リーダアンテナ２０３により受信された無線タグ回路素子Ｔｏからの応答波を入力する受信部１４３と、送受分離器１４４とから構成される。
【００４５】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、ラベル作成装置３００の制御回路３１１の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記制御回路３１１から供給される信号に基づいて上記発生させられた搬送波を変調（この例では制御回路３１１からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路３１１からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介しアンテナ２０３に伝達されて無線タグ回路素子ＴｏのＩＣ回路部１５０に供給される。なお、質問波は上記のように変調した信号（変調波）に限られず、単なる搬送波のみの場合もある。
【００４６】
受信部１４３は、アンテナ２０３で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ２０３で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路３１１に入力されて処理される。
【００４７】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」が制御回路３１１に入力される。これにより、ラベル作成装置３００では、無線タグ回路素子Ｔｏとの通信時における当該無線タグ回路素子Ｔｏからの信号の受信強度を検出することが可能となっている。
【００４８】
図６は、上記無線タグＴに備えられる無線タグ回路素子Ｔｏの機能的構成の一例を表す機能ブロック図である。
【００４９】
この図６において、無線タグ回路素子Ｔｏは、上述したようにリーダ２００のアンテナ２０３と非接触で信号の送受信を行う上記タグアンテナ１５１と、このタグアンテナ１５１に接続された上記ＩＣ回路部１５０とを有している。
【００５０】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５１】
変復調部１５６は、タグアンテナ１５１により受信された上記リーダ２００のアンテナ２０３からの質問波の復調を行い、また、上記制御部１５７からの返信信号を変調し、タグアンテナ１５１より応答波（タグＩＤを含む信号）として送信する。
【００５２】
クロック抽出部１５４は受信した信号からクロック成分を抽出し、当該クロック成分の周波数に対応したクロックを制御部１５７に供給する。
【００５３】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５４】
図７は、上記無線タグ回路素子ＴｏのＩＣ回路部１５０のメモリ部１５５の記憶内容の一例を概念的に表す図である。
【００５５】
図７において、メモリ部１５５には、タグ識別情報としてのタグＩＤと、ラベル作成装置３００に対しラベルテープ３０３に所望の印字を行って印字ラベルＬを作成するように指示するためのコマンドと、ラベルテープ３０３に印字される社員ＩＤとが記憶されている。この社員ＩＤは、例えば各社員に対応した社員番号等の数値情報である。
【００５６】
図８は、上記メモリ部１５５に記憶されたコマンド及び社員ＩＤの具体例を表す図である。この例では、社員ＩＤ「１２３４５６７」の印字ラベルを作成する時のメモリ部１５５の記憶内容を表している。
【００５７】
図８において、メモリ部１５５には、コマンドとしてのＥＳＣ／Ｐ：Ｅｐｓｏｎ  Ｓｔａｎｄａｒｄ  Ｃｏｄｅ  ｆｏｒ  Ｐｒｉｎｔｅｒ（制御コード）と、社員ＩＤ「１２３４５６７」（文字コード）とが記憶されている。このコマンドと社員ＩＤとが各請求項記載の第１印字データ、印字データを構成する。
【００５８】
このメモリ部１５５の社員ＩＤ「１２３４５６７」及び上記コマンドが読み出されると、ラベル作成装置３００が上記印字データに対し所定の変換（後述の図９参照）を行ってテキスト「１２３４５６７」の印字データを生成すると共にラベル作成処理を実行し、これによってテキスト「１２３４５６７」を印字した印字ラベルＬが作成される（後述の図１０参照）。
【００５９】
なお、図８では、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）表現及び１６進数表現の２通りのデータを表示しているが、メモリ部１５５には少なくともいずれか一方が記憶されていればよい。
【００６０】
図９は、制御回路３１１の上記データ変換機能を含む機能ブロック図である。
【００６１】
図９において、制御回路３１１は、上記ＥＳＣ／Ｐ形式で入力した文字コード「１２３４５６７」を、対応する印字ヘッド３０５の印字駆動データに変換するデータ変換部（データ変換手段）３０ａと、このデータ変換部３０ａでの変換により生成された印字駆動データを、所定の記憶領域に展開して記憶する印字バッファ部（第１バッファメモリ）３０ｂと、制御信号生成部３０ｄとを有している。
【００６２】
印字バッファ部３０ｂは、バッファ上に展開した上記印字駆動データを一時的に保管する。なお、この図９では、バッファ上の印字駆動データの一例として「Ａ」の一文字を展開した場合を示している。
【００６３】
制御信号生成部３０ｄは、上記印字バッファ部３０ｂの印字駆動データを読み取り、印字ヘッド３０５の制御信号を生成する。そして生成した制御信号を、印字ヘッド３０５へ出力する。これにより、印字ヘッド３０５が印字に対応するように通電され、ラベルテープ３０３の印字領域Ｓに対応するテキスト（この例では「Ａ」、前述の例では社員ＩＤ「１２３４５６７」）が印刷されるようになっている。
【００６４】
図１０は、上記のようにして作成された印字ラベルＬの一例を表す図であり、印字領域Ｓに、持ち出し者の社員ＩＤ「１２３４５６７」が（当該持ち出された物品名を表す「○○○」とともに）印字されている。すなわち、前述したように、無線タグ回路素子Ｔｏのメモリ部１５５に社員ＩＤ「１２３４５６７」が記憶された無線タグＴをリーダ２００に読み取らせることで、ラベル作成装置３００で社員ＩＤ「１２３４５６７」が印字された印字ラベルＬが作成されるのである。
【００６５】
なお、図１０に示す「持ち出し物品名」は、ラベル作成装置３００に対応付けられた物品の名称であり、印字ラベルＬの作成の都度（固定的に）上記社員ＩＤとともに印字するようにしてもよいし、ラベルテープ３０３に（ラベルテープロール３０４の状態で）予め印刷しておくようにしてもよい。
【００６６】
図１１（ａ）は、ラベル作成装置３００の制御回路３１１の制御に基づき、リーダ２００の高周波回路２０４、アンテナ１０３、及びインターフェース２０５で実行される動作内容を表す動作フローである。なお、制御回路３１１の制御ではなく、リーダ２００内に独自にコントローラや制御回路を備え、それらの制御によって下記の各動作を行うようにしてもよい。
【００６７】
まず、ステップＳ３１０において、高周波回路２０４が、無線タグＴの無線タグ回路素子ＴｏのＩＣ回路部１５０に記憶された情報を読み取るためのタグ読み取り信号を生成して、アンテナ２０３を介し通信範囲内に存在する無線タグ回路素子Ｔｏに送信し、返信を促す。
【００６８】
その後、ステップＳ３２０で、上記タグ読み取り信号に対応し無線タグＴの無線タグ回路素子Ｔｏから送信（返信）されたリプライ信号を、アンテナ２０３を介し受信する。
【００６９】
そして、ステップＳ３３０において、上記受信したリプライ信号より、無線タグ回路素子ＴｏのＩＣ回路部１５０のメモリ部１５５に記憶されていたタグＩＤ、コマンド、及び社員ＩＤを抽出して取得する（情報取得手段）。なお、この抽出及び情報取得はラベル作成装置３００の制御回路３１１側で行う（すなわちリーダ２００からラベル作成装置３００側へは受信した情報をすべて転送する）ようにしてもよい。
【００７０】
その後、ステップＳ３３１で、高周波回路２０４が、上記取得したタグＩＤ、コマンド、及び社員ＩＤを、インターフェース２０５を介してラベル作成装置３００へ転送する（印字データ転送手段）。そして、本フローを終了する。
【００７１】
図１１（ｂ）は、上記図１１（ａ）のフローに対応して、ラベル作成装置３００の制御回路３１１によって実行される制御内容を表すフローチャートである。
【００７２】
まず、ステップＳ３３４で、上記ステップＳ３３１においてリーダ２００から転送されたタグＩＤ、コマンド、及び社員ＩＤ等のデータが、接続手段２を介して入力されたか否かを判定する。リーダ２００からデータが入力されていなければ判定が満たされずループ待機する。一方、リーダ２００からデータが転送された場合には、判定が満たされて次のステップＳ３３５に移る。
【００７３】
ステップＳ３３５では、上記データ変換部３０ａの機能（図９参照）により、ステップＳ３３４で入力したデータに含まれる社員ＩＤに対し、データ変換（ＥＳＣ／Ｐ形式の文字コード→テキストデータ）を行い、ラベルテープ３０３に対する印字内容を表す上記印字駆動データを生成する。
【００７４】
その後、ステップＳ４００に移り、上記ステップＳ３３４で入力したコマンドに基づきラベル作成処理を実行し（詳細内容は後述の図１２参照）、上記生成した印字駆動データによりラベルテープ３０３に対し社員ＩＤの印字を行い、印字ラベルＬを作成する。その後、本フローを終了する。
【００７５】
図１２は、制御回路３１１が実行する上記ステップＳ４００のラベル作成処理の詳細内容を表すフローチャートである。
【００７６】
まずステップＳ４１０において、搬送ローラ３０８を駆動する搬送用モータ（図示せず）に制御信号を出力し、その駆動力によってラベルテープロール３０４からラベルテープ３０３を繰り出す。
【００７７】
その後、ステップＳ４２０では、ラベルテープ３０３が所定量だけ搬送されたか否かを判定する。この所定量とは、例えば印字ヘッド３０５がラベルテープ３０３の印字領域Ｓの先端にほぼ対向する位置に到達するだけの搬送距離である。この搬送距離判定は、例えばラベルテープ３０３に設けたマーキングを公知のテープセンサ（不図示）で検出することにより行えば足りる。判定が満たされたらステップＳ４３０に移る。
【００７８】
ステップＳ４３０では、上記制御信号生成部３０ｄ（図９参照）の機能により印字ヘッド３０５に制御信号を出力し、印字ヘッド３０５によるラベルテープ３０３の印字領域Ｓへ、上記図１１のステップＳ３３５で生成した印字データの印字を開始する。
【００７９】
ステップＳ４４０では、ラベルテープ３０３に対する印字データの印字がすべて完了しているかどうかを確認した後、ステップＳ４５０へ移る。
【００８０】
ステップＳ４５０では、ラベルテープ３０３がさらに所定量（例えば、印字領域Ｓのすべてがカッタ３０７を所定の長さ（余白量）分越えるだけの搬送距離）だけ搬送されたかどうかを判定する。このときの搬送距離判定も例えば上記ステップＳ４２０と同様にすれば足りる。判定が満たされると、ステップＳ４６０に移る。
【００８１】
ステップＳ４６０では、上記搬送用モータに制御信号を出力して搬送ローラ３０８の駆動を停止し、ラベルテープロール３０４からのラベルテープ３０３の繰り出し及び搬送を停止する。
【００８２】
ステップＳ４７０では、ソレノイド駆動回路（図示せず）に制御信号を出力してカッタ用ソレノイド（図示せず）を駆動し、カッタ３０７によってラベルテープ３０３の切断を行う。前述したように、この時点で印字領域Ｓを含むラベルテープ３０３のすべてがカッタ３０７を十分に越えており、このカッタ３０７の切断によって、印字データの印字が行われた印字ラベルＬが生成される。
【００８３】
ステップＳ４８０では、別途設けた排出用ローラ（図示せず）を駆動する排出用モータ（図示せず）に制御信号を出力し、上記ステップＳ４７０でラベル状に生成された印字ラベルＬをラベル作成装置３００の装置外へと排出する。なお、排出用モータがなくても手動操作で印字ラベルＬを装置外へ排出できる場合には、このステップＳ４８０を省略してもよい。以上により、本フローを終了する。
【００８４】
以上説明したように、本実施形態の印字ラベル作成システムＬＳにおいては、操作者（上記持ち出し者）が、無線タグ回路素子Ｔｏを備えた無線タグＴをリーダ２００のアンテナ２０３にかざす等により無線タグ回路素子Ｔｏへの情報読み取りを行わせると、読み取った情報がラベル作成装置３００へ転送され、ラベル作成装置３００において、取得された社員ＩＤに対応した印字データが生成され、印字ヘッド３０５によってラベルテープ３０３に対し当該印字データが印字され、印字ラベルＬが作成される。このように、操作者が読み取り装置２００を用いて情報読み取りを行うだけで、対応する印字を備えた印字ラベルＬを自動的に作成することができる。そして、無線タグ回路素子Ｔｏから読み取り装置２００で読み取ったデータをラベル作成装置３００へと直接転送することにより、読み取り装置２００やラベル作成装置３００にパソコンやサーバ等を接続することなく、印字ラベルＬを作成することができる。したがって、操作者の操作労力を低減しつつ、円滑かつ確実に印字ラベルを作成できる。
【００８５】
また、図１１（ａ）及び図１１（ｂ）のフローチャートに示すように、操作者が読み取り装置２００を用いて無線タグ回路素子Ｔｏから情報読み取りを行わせると自動的に印字ラベルの作成が開始されるので、迅速に印字ラベルＬを作成することができる。
【００８６】
また、本実施形態では特に、図８に示すように、読み取り装置２００側からラベル作成装置３００側へ文字コードと制御コードからなる印字データを転送する。これにより、無線タグ回路素子Ｔｏには比較的バイト数の少ない印字データを記憶すれば足り、無線タグ回路素子Ｔｏの記憶可能容量を小さくすることができる。またデータ転送時（ステップＳ３３１参照）による転送に要する時間を短くすることもできる。
【００８７】
なお、本発明は、上記実施形態に限られるものではなく、その趣旨及び技術的思想を逸脱しない範囲内で変形が可能である。以下、そのような変形例を説明する。
【００８８】
（１）ビットマップデータを用いる場合
すなわち、図８に示したデータ形式に代えて、例えば、図１３に示すような、「初期化部」、「グラフィックモード選択部」、「ラスタグラフィックス転送部」、「印字指令部」からなる制御コードと、ビットマップデータ（ラスタグラフィックス転送部に含まれている）からなるビットマップ形式のデータ（第２印字データ、印字データ）で、リーダ２００からラベル作成装置３００へ転送するようにしてもよい。この場合、制御回路３１１において図９に示したデータ変換部３０ａ（図９参照）の機能は不要となる。
【００８９】
図１４は、本変形例における制御回路３１１の機能ブロック図である。
【００９０】
この図１４に示すように、本変形例の制御回路３１１では、図９におけるデータ変換部３０ａが省略されている。すなわち、入出力インターフェース３０９から入力した上記ビットマップ形式のデータのうち、ビットマップデータを、印字バッファ部（第２バッファメモリ）３０ｃの所定の記憶領域に展開して記憶する。
【００９１】
印字バッファ部３０ｃは、入出力インターフェース３０９から入力されたデータをバッファ上に展開し、一時的に保管する。なお、この図１４では、バッファ上のデータの一例として「Ａ」の一文字を展開した場合を示している。
【００９２】
制御信号生成部３０ｄは、図９と同様、上記印字バッファ部３０ｃのデータを読み取り、印字ヘッド３０５の制御信号を生成する。そして生成した制御信号を、印字ヘッド３０５へ出力する。これにより、印字ヘッド３０５が印字に対応するように通電され、ラベルテープ３０３の印字領域Ｓに対応するテキスト（この例では「Ａ」、前述の例では社員ＩＤ「１２３４５６７」）が印刷されるようになっている。
【００９３】
本変形例においては、読み取り装置２００側からラベル作成装置３００側へ転送するデータが、ビットマップデータと制御コードから構成されている。これにより、パソコンやデジタルカメラ等の各種用途において広く汎用されているビットマップデータを、そのまま印字データとして無線タグ回路素子Ｔｏに記憶させて用いることができる。この結果、無線タグ回路素子Ｔｏに記憶させる際に予め特定のデータ形式に変換する必要がなく、利便性を向上することができる。
【００９４】
また、読み取り装置２００から転送されてきたビットマップデータをそのまま第２バッファメモリ３０ｃに格納して用いることにより、ラベル作成装置３００に、上記実施形態のような特定のデータ形式からのデータ変換手段を設ける必要がないという効果もある。
【００９５】
（４）その他
なお、以上においては、ラベルテープ３０３の印字領域Ｓにテキスト（「１２３４５６７」や「Ａ」などの）を印字する場合を例にとって説明したが、これに限られず、例えばバーコード（二次元バーコードを含む）を印字する場合に本発明を適用してもよい。この場合も、上述したように、ＥＳＣ／Ｐ形式でデータを構成し転送することもできるし、ビットマップ形式でデータを構成し転送するようにしてもよい。これらの場合も同様の効果を得る。
【００９６】
また、以上においては、印字の終了したラベルテープ３０３をカッタ３０７で切断して印字ラベルＬを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙のみをテープから剥がして印字ラベルＬを作成しても良く、本発明はこのようなものに対しても適用できる。
【００９７】
また、以上においては、ラベルテープ３０３に備えられた被印字テープ層に印字を行う方式（貼りあわせを行わないタイプ）に本発明を適用した場合を例にとって説明したが、これに限られず、ラベルテープ３０３とは別の被印字媒体に印字を行ってこれらを貼り合わせる方式に本発明を適用してもよい。
【００９８】
さらに、以上は、テープがリール部材の周りに巻回されてロールを構成し、そのロールからラベルテープ３０３が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをラベル作成装置３００側のカートリッジホルダに装着して、上記収納部から移送、搬送して印字を行い印字ラベルＬを作成するようにしてもよい。またラベルテープロール３０４を回転可能に収納したカートリッジをカートリッジホルダに装着して用いてもよい。
【００９９】
さらには上記ロールを直接ラベル作成装置３００側に着脱可能に装着する構成や、長尺平紙状あるいは短冊状のテープやシートをラベル作成装置３００外より１枚ずつ所定のフィーダ機構によって移送しラベル作成装置３００内へ供給する構成も考えられる。これらの場合も同様の効果を得る。
【０１００】
なお、以上において、各図中に示す矢印は信号の流れの一例を示すものであり、信号の流れ方向を限定するものではない。
【０１０１】
また、各図に示すフローチャートは本発明を上記フローに示す手順に限定するものではなく、発明の趣旨及び技術的思想を逸脱しない範囲内で手順の追加・削除又は順番の変更等をしてもよい。
【０１０２】
また、以上既に述べた以外にも、上記実施形態や各変形例による手法を適宜組み合わせて利用しても良い。
【０１０３】
その他、一々例示はしないが、本発明は、その趣旨を逸脱しない範囲内において、種々の変更が加えられて実施されるものである。
【図面の簡単な説明】
【０１０４】
【図１】本実施形態の印字ラベル作成システムの全体構成を表すシステム構成図である。
【図２】無線タグ回路素子を備えた無線タグラベルの外観の一例を表す上面図及び下面図である。
【図３】図２（ａ）中III−III′断面による横断面図である。
【図４】印字ラベル作成システムの機能構成を表す機能ブロック図である。
【図５】リーダの高周波回路の詳細構成を表す機能ブロック図である。
【図６】無線タグに備えられる無線タグ回路素子の機能的構成の一例を表す機能ブロック図である。
【図７】無線タグ回路素子のＩＣ回路部のメモリ部の記憶内容の一例を概念的に表す図である。
【図８】ＩＣ回路部のメモリ部の記憶内容の具体例を表す図である。
【図９】制御回路の機能ブロック図である。
【図１０】作成される印字ラベルの一例を表す図である。
【図１１】リーダの動作フロー及びラベル作成装置の制御フローである。
【図１２】ステップＳ４００の詳細内容を表すフローチャートである。
【図１３】ビットマップ形式のデータを用いる変形例を表す図である。
【図１４】制御回路の機能ブロック図である。
【符号の説明】
【０１０５】
１５０            ＩＣ回路部
１５１            タグアンテナ
２００            リーダ（読み取り装置）
２０３            アンテナ（装置アンテナ）
３００            ラベル作成装置
３０３            ラベルテープ（ラベル媒体）
３０５            印字ヘッド（印字手段）
３０８            搬送ローラ（搬送手段）
３１１            制御回路
Ｌ                印字ラベル
ＬＳ              印字ラベル作成システム
Ｔｏ              無線タグ回路素子
【図１】
2010064357.tif 000003
【図２】
2010064357.tif 000004
【図３】
2010064357.tif 000005
【図４】
2010064357.tif 000006
【図５】
2010064357.tif 000007
【図６】
2010064357.tif 000008
【図７】
2010064357.tif 000009
【図８】
2010064357.tif 000010
【図９】
2010064357.tif 000011
【図１０】
2010064357.tif 000012
【図１１】
2010064357.tif 000013
【図１２】
2010064357.tif 000014
【図１３】
2010064357.tif 000015
【図１４】
2010064357.tif 000016